(57)【特許請求の範囲】
【請求項１】
前端部（１７ａ）と終端部（１７ｂ）とを有する用紙（１７）を巻き取るための用紙巻き取りローラ（１１）と、該用紙巻き取りローラ（１１）を囲む壁面（４ａ）と前記用紙巻き取りローラ（１１）に向けて前記用紙（１７）を挿入するための用紙挿入口（４ｂ）と前記用紙（１７）を回収するために排出する用紙排出口（４ｃ）と前記用紙（１７）を外部から取出すための用紙取出口（４ｄ）とを有するケース体（４）と、前記用紙巻き取りローラ（１１）に前記用紙（１７）を圧接するための複数の圧接ローラ（５）（６）（７）と、前記用紙巻き取りローラ（１１）を正方向回転および逆方向回転駆動するための用紙巻き取りローラ駆動手段（１２）と、前記用紙巻き取りローラ（１１）に前記用紙巻き取りローラ駆動手段（１２）の動力を伝達するための動力伝達手段（１２ａ）（１３ａ）（１３ｂ）（１４ａ）（１４ｂ）（１５）と、前記用紙排出口（４ｃ）から排出される前記用紙（１７）を収容する空間部（１６）とを有する用紙排出装置において、前記用紙挿入口（４ｂ）は、該用紙巻き取りローラ（１１）が正方向回転によって前記用紙（１７）を前記前端部（１７ａ）から取り入れるように設けられ、前記用紙排出口（４ｃ）は、前記用紙巻き取りローラ（１１）が正方向回転によって前記用紙（１７）を前記前端部（１７ａ）から前記空間部（１６）に向けて排出するように設けられ、前記用紙取出口（４ｄ）は、前記用紙巻き取りローラ（１１）が逆方向回転によって前記用紙（１７）を前記後端部（１７ｂ）から外部に送り出して取出せるように設けられ、前記動力伝達手段は、前記用紙巻き取りローラ（１１）の回転負荷が所定の値より大きい場合には、前記用紙巻き取りローラ駆動手段（１２）の動力を前記用紙巻き取りローラ（１１）に伝達しない動力限定伝達手段を有し、前記用紙（１７）が前記用紙排出口（４ｃ）から排出される時に前記用紙（１７）の後端部（１７ｂ）を検出するための第１用紙検出手段（９）と、前記用紙（１７）が前記用紙取出口（４ｄ）から取出される時に前記前端部（１７ａ）を検出するための第２用紙検出手段（１０）とを有することを特徴とする用紙排出装置。
【請求項２】
前記用紙巻き取りローラが正方向回転した時に、前記用紙を前記用紙排出口から排出するように案内する用紙案内手段を設けたことを特徴とする請求項１記載の用紙排出装置。
【発明の詳細な説明】
【０００１】
【発明の属する技術分野】
本発明は、駅、コンビニエンスストア、遊技場等で用いられるチケット、有価券、情報印字シート等を印字して発券する発券機として印字機等と組み合わせて用いられる用紙排出装置に関する。
【０００２】
【従来の技術】
従来の用紙排出装置は、印字機によって印字されたチケット等を取出口から取出するに際して、チケット等が印字動作中に取出動作を妨げられたり無理に引き出されることによる装置の乱れ、および故障等を防ぐために印字機と取出口との間において用紙にたるみ部分を設けている。
【０００３】
上述したような従来例は特開平７−７６４４６号公報に開示されている。図８、図９、図１０を用いて、従来例として特開平７−７６４４６号公報における用紙排出装置について説明する。
【０００４】
図８は、上記従来例における用紙排出装置２０４が用紙２０５を貯めている状態を示す断面図である。図９は、用紙排出装置２０４に用紙２０５が貯まった状態を示す断面図である。図１０は、用紙排出装置２０４が用紙２０５を排出する状態を示す断面図である。
【０００５】
図８において、用紙２０５が用紙搬送手段２０１によって送られながら印字装置２０２によって印字されていき、用紙２０５の前端が用紙検出手段２０４ａによって検出されると排出ローラ２０４ｃが停止するが、用紙搬送手段２０１の紙送り動作および印字装置２０２の印字動作はそのまま続行する。従って、用紙２０５は、用紙溜部２０４ｂ内に２０５ａ、２０５ｂのようにループ状にたまっていく。
【０００６】
図９において、印字装置２０２の用紙２０５に対する印字動作が終了すると、用紙切断装置２０３のカッタ刃２０３ａが下方に移動して用紙２０５を切断する。
【０００７】
図１０において、用紙切断装置２０３のカッタ刃２０３ａが用紙２０５を切断すると、用紙排出装置２０４の排出ローラ２０４ｃは回転して用紙排出口２０４ｄから用紙２０５を排出し、用紙検出手段２０４ａが用紙２０５を検出しなくなると停止する。
【０００８】
【発明が解決しようとする課題】
上述のように、従来の用紙排出装置は、印字装置と用紙取出口との間において用紙にたるみ部分を設けるため、用紙のたるみ部分を収容するするための用紙溜部を設けており、この用紙溜部は大きな容積を要している。従って、用紙排出装置は大きな形態を有するものとなる。また、用紙のたるみ部分の形状は用紙の紙質や湿度の影響を受けやすく不安定であり紙詰まりの大きな要因となっていた。特に厚手の用紙では適正なたるみ形状が形成しにくく取り扱いが困難であった。
【０００９】
本発明の目的は、小型にして、多様な用紙に対応し得ると共に紙詰まりの起こりにくい用紙排出装置を提供しようとするものである。
【００１０】
【課題を解決するための手段】
上記目的を達成するために、本発明においては、前端部（１７ａ）と終端部（１７ｂ）とを有する用紙（１７）を巻き取るための用紙巻き取りローラ（１１）と、該用紙巻き取りローラ（１１）を囲む壁面（４ａ）と前記用紙巻き取りローラ（１１）に向けて前記用紙（１７）を挿入するための用紙挿入口（４ｂ）と前記用紙（１７）を回収するために排出する用紙排出口（４ｃ）と前記用紙（１７）を外部から取出すための用紙取出口（４ｄ）とを有するケース体（４）と、前記用紙巻き取りローラ（１１）に前記用紙（１７）を圧接するための複数の圧接ローラ（５）（６）（７）と、前記用紙巻き取りローラ（１１）を正方向回転および逆方向回転駆動するための用紙巻き取りローラ駆動手段（１２）と、前記用紙巻き取りローラ（１１）に前記用紙巻き取りローラ駆動手段（１２）の動力を伝達するための動力伝達手段（１２ａ）（１３ａ）（１３ｂ）（１４ａ）（１４ｂ）（１５）と、前記用紙排出口（４ｃ）から排出される前記用紙（１７）を収容する空間部（１６）とを有する用紙排出装置において、前記用紙挿入口（４ｂ）は、該用紙巻き取りローラ（１１）が正方向回転によって前記用紙（１７）を前記前端部（１７ａ）から取り入れるように設けられ、前記用紙排出口（４ｃ）は、前記用紙巻き取りローラ（１１）が正方向回転によって前記用紙（１７）を前記前端部（１７ａ）から前記空間部（１６）に向けて排出するように設けられ、前記用紙取出口（４ｄ）は、前記用紙巻き取りローラ（１１）が逆方向回転によって前記用紙（１７）を前記後端部（１７ｂ）から外部に送り出して取出せるように設けられ、前記動力伝達手段は、前記用紙巻き取りローラ（１１）の回転負荷が所定の値より大きい場合には、前記用紙巻き取りローラ駆動手段（１２）の動力を前記用紙巻き取りローラ（１１）に伝達しない動力限定伝達手段を有し、前記用紙（１７）が前記用紙排出口（４ｃ）から排出される時に前記用紙（１７）の後端部（１７ｂ）を検出するための第１用紙検出手段（９）と、前記用紙（１７）が前記用紙取出口（４ｄ）から取出される時に前記前端部（１７ａ）を検出するための第２用紙検出手段（１０）とを有することを特徴とするものである。
【００１２】
また、前記用紙巻き取りローラが正方向回転した時に、前記用紙を前記用紙排出口から排出するように案内する用紙案内手段を設けたことを特徴とするものである。
【００１３】
【発明の実施の形態】
以下発明の実施の形態を実施例に基づき図面を参照して説明する。図１は、本発明に係る一実施例の用紙排出装置を組み込んだ発券装置ユニットの主要断面の状態を示す主要断面図である。図２は、図１における発券装置ユニットに組み込まれている用紙排出装置３の矢視Ａを拡大した状態を示す詳細断面図である。図３は、用紙排出装置３が用紙１７を蓄えた後、用紙切断装置２が用紙１７を切断する動作を示す説明図である。図４は、用紙排出装置３が用紙１７を用紙排出口４ｃから空間部１６のに向けて排出を開始した状態を示す説明図である。図５は、用紙排出装置３が用紙１７を空間部１６に向けての排出を終了した状態を示す説明図である。図６は、用紙排出装置３が用紙１７を用紙排出口４ｃから引き出して用紙取出口４ｄかへの送り出しを終了して待機している状態を示す説明図である。図７は、用紙排出装置３が用紙１７の待機を終了して、用紙１７を用紙排出口４ｃから空間部１６に向けて排出した状態を示す説明図である。
【００１４】
図１において、本発明に係る一実施例の用紙排出装置３を組み込んだ発券装置ユニットについて説明する。図示せぬ用紙ホルダユニットに保持されている用紙１７は印字装置１に供給され、印字装置１において印字された用紙１７は、用紙切断装置２を通過して用紙排出装置３に送り込まれるように構成されている。また、発券装置ユニットには、印字装置１、用紙切断装置２、および用紙排出装置３の動作を制御するための図示せぬ制御回路が組み込まれている。
【００１５】
図２において、用紙排出装置３の構成および用紙切断装置２の簡単な構成について説明する。用紙切断装置２には用紙１７を切断するためのカッタ刃２ａが設けられている。用紙排出装置３はケース体４を有しており、ケース体４は後述する用紙巻き取りローラ１１を囲む壁面４ａにより形成されており、ケース体４には用紙挿入口４ｂ、用紙排出口４ｃ、用紙取出口４ｄが形成されている。また、ケース体４には円筒形に形成されている用紙巻き取りローラ１１を固着支持している用紙巻き取りローラ軸１１ａによって用紙巻き取りローラ１１を回転自在に支承している。ケース体４の壁面４ａと用紙巻き取りローラ１１との間には用紙１７が数枚重ねて入るほどの均一な隙間が形成されている。
【００１６】
また、ケース体４には用紙巻き取りローラ１１の駆動手段であるモータ１２が取り付けられており、モータ１２の出力軸にはモータ歯車１２ａが固着されている。モータ歯車１２ａは動力伝達手段を介して用紙巻き取りローラ１１を回転駆動するように構成されている。即ち、モータ歯車１２ａには第１大歯車１３ａが噛み合い、第１大歯車１３ａと固着されている第１小歯車１３ｂには第２大歯車１４ａが噛み合い、第２大歯車１４ａと固着されている第２小歯車１４ｂには、用紙巻き取りローラ軸１１ａに固着されている用紙巻き取りローラ歯車１５が噛み合っている。なお、前記動力伝達手段には、用紙巻き取りローラ１１の回転負荷が所定の値より大きい場合には用紙巻き取りローラ１１に動力を伝達させないための図示せぬ動力限定伝達手段が組み込まれている。
【００１７】
上述したように、前記動力伝達手段には、用紙巻き取りローラ１１の回転負荷が所定の値より大きい場合には用紙巻き取りローラ１１に動力を伝達させないための動力限定伝達手段が組み込まれているので、仮に用紙１７がジャミングした場合においても。モータ１２および前記動力伝達手段に異常に大きな負荷がかかることはなく、このような過負荷による動作不良および部品の破損等の故障を起こすことはない。また、前述したように、印字装置１において印字された用紙１７は、用紙切断装置２を通過して用紙排出装置３に送り込まれるように構成されている。従って、用紙１７は印字装置１に設けられている用紙改行送りを行うための用紙送り手段に保持されていると共に用紙巻き取りローラ１１にも保持されるので、用紙巻き取りローラ１１の用紙送り速度が印字装置１に設けられている用紙送り手段の用紙送り速度が遅いと、印字装置１に設けられている用紙送り手段と用紙巻き取りローラ１１との間の用紙１７はたるんでしまい用紙１７がジャミングするおそれがある。このような不具合を発生させないために、用紙巻き取りローラ１１による用紙送り速度を印字装置１に設けられている用紙送り手段による用紙送り速度を大きく設定してある。このように用紙巻き取りローラ１１による用紙送り速度を印字装置１に設けられている用紙送り手段による用紙送り速度を大きく設定した場合、印字装置１に設けられている用紙送り手段の用紙保持力が用紙巻き取りローラ１１による用紙保持力よりも小さいと、印字装置１に設けられている用紙送り手段と用紙１７との間でスリップして印字改行ピッチがずれてしまうという不具合が発生するおそれがあるが、動力限定伝達手段の動力伝達停止設定値を印字装置１に設けられている用紙送り手段の用紙保持力よりも小さく設定しておくことによりこのような不具合を発生させることはない。
【００１８】
また、ケース体４の用紙挿入口４ｂの近傍には、第１圧接ローラ５が回転自在にかつ用紙１７を用紙巻き取りローラ１１に押しつける弾性力を持って取り付けられており、用紙排出口４ｃの近傍には、第２圧接ローラ６が回転自在にかつ用紙１７を用紙巻き取りローラ１１に押しつける弾性力を持って取り付けられており、用紙取出口４ｄの近傍に第３圧接ローラ７が回転自在にかつ用紙１７を用紙巻き取りローラ１１に押しつける弾性力を持って取り付けられている。
【００１９】
また、ケース体４には、第２圧接ローラ６の近傍で空間部１６の外側に用紙１７の後端部１７ｂを光学的に検知して図示せぬ制御回路によって用紙巻き取りローラ１１の回転を制御するための第１用紙検出手段９が取り付けられている。また、第２圧接ローラ６の近傍で空間部１６の内側には、用紙１７の前端部１７ａを光学的に検知して図示せぬ制御回路によって用紙巻き取りローラ１１の回転を制御するための第２用紙検出手段１０が取り付けられている。第１用紙検出手段９および第２用紙検出手段１０は、発光ダイオードとフォトトランジスタとの組み合わせたフォトインタラプタとなっている。更に、第２圧接ローラ６と第２用紙検出手段１０との間には、用紙１７を用紙巻き取りローラ１１の周縁から分離させて空間部１６の内部に導くための用紙案内部材８が設けられている。
【００２０】
図３において、用紙排出装置３が用紙１７を蓄えた後、用紙切断装置２が用紙１７を切断する動作について説明する。  図２において、図示せぬ制御回路に制御されて印字装置１が印字動作を開始すると、印字された用紙１７は印字装置１から排出されて用紙切断装置２を通過して、図３に示す用紙排出装置３の用紙挿入口４ｂから挿入される。一方、図示せぬ制御回路に制御されて用紙排出装置３のモータ１２が起動して、動力伝達手段、即ち、モータ歯車１２ａ、第１大歯車１３ａ、第１小歯車１３ｂ、第２大歯車１４ａ、第２小歯車１４ｂ、用紙巻き取りローラ歯車１５を介して用紙巻き取りローラ１１を矢印Ｃの方向に回転駆動する。用紙挿入口４ａから挿入された用紙１７の前端部１７ａが用紙巻き取りローラ１１と第１圧接ローラ５との間に挿入されると、用紙１７は、用紙巻き取りローラ１１とケース体４の壁面４ａとの間を、用紙巻き取りローラ１１と第１圧接ローラ５との間に挟持されて、用紙巻き取りローラ１１に巻き付きながら矢印Ｃの方向に運ばれ、更に、第３圧接ローラ７によって用紙巻き取りローラ１１に圧接されながら運ばれる。印字装置１が印字動作を終了すると、図示せぬ制御回路は用紙排出装置３を制御して用紙巻き取りローラ１１の回転を停止させる。図示せぬ制御回路は用紙巻き取りローラ１１の回転停止指令を出すと共に、用紙切断装置２を制御してカッタ刃２ａを矢印Ｄの方向に駆動して用紙１７を切断する。
【００２１】
本実施例においては、用紙切断装置２によって用紙１７が切断された状態において、用紙１７の前端部１７ａは、第３圧接ローラ７と第２圧接ローラ６との中間の位置にあるが、印字装置１による印字量が多く、用紙１７の長さが長い場合には、用紙１７の前端部１７ａは第２圧接ローラ６を越えて空間部１６の中に入ることもある。このようにして印字された用紙１７を用紙排出装置３の内部に蓄えるので、用紙排出装置３を小型に構成することができると共に、印字された用紙１７の長さにかかわらず、紙詰まりを起こすことなく安定して蓄えることができ、印字装置１の印字動作中に用紙１７を引っ張られることが無く安全に印字動作を行うことができる。
【００２２】
図４において、用紙排出装置３が用紙１７を用紙排出口４ｃから空間部１６に向けて排出する状態について説明する。図３に示すようにして、印字装置１が印字動作を終了して用紙巻き取りローラ１１の回転が停止し、図示せぬ制御回路が用紙切断装置２を制御して用紙１７を切断する。再度モータ１２を起動して用紙巻き取りローラ１１を矢印Ｃの方向に回転させると、用紙巻き取りローラ１１は用紙１７を送り、用紙１７は第２圧接ローラ６にも挟持されて、用紙１７の前端部１７ａは矢印Ｅの方向に送られ、用紙案内部材８により用紙巻き取りローラ１１の周縁から分離されて空間部１６に向けて排出される。
【００２３】
図５において、用紙排出装置３が用紙１７を空間部１６に向けて排出し停止するまでの状態について説明図する。図４に示すようにして、用紙１７が送られて空間部１６に向けて排出され、更に送られて用紙１７の後端部１７ｂが第１用紙検出手段９に対向する位置に来ると、第１用紙検出手段９は、用紙１７が空間部１６に排出し終わったことを図示せぬ制御回路に対して出力する。この出力を受けた図示せぬ制御回路はモータ１２を停止させて、用紙巻き取りローラ１１の回転を停止させる。
【００２４】
図６において、用紙排出装置３が用紙１７を用紙取出口４ｄから送り出し停止するまでの状態について説明図する。図５に示すように、用紙１７が空間部１６に向けて排出されて後端部１７ｂが第１用紙検出手段９に対向する位置に来ると、図示せぬ制御回路は用紙巻き取りローラ１１の回転を停止させ、続いて、用紙巻き取りローラ１１を矢印Ｆの方向に回転駆動する。用紙巻き取りローラ１１が矢印Ｆの方向に回転することによって、用紙巻き取りローラ１１と第２圧接ローラ６とに挟持されている用紙１７は、矢印Ｇの方向に送られて後端部１７ｂが用紙取出口４ｄから送り出され、前端部１７ａが第２用紙検出手段１０に対向する位置に来ると、第２用紙検出手段１０は、用紙１７が空間部１６から出たことを図示せぬ制御回路に対して出力する。この出力を受けた図示せぬ制御回路はモータ１２を停止させて、用紙巻き取りローラ１１の回転を停止させる。
【００２５】
図７において、用紙排出装置３が用紙１７の待機を終了して、用紙１７を用紙排出口４ｃから回収して空間部１６に向けて排出する状態について説明する。図６に示すように用紙１７が、前端部１７ａの近傍を用紙巻き取りローラ１１と第２圧接ローラ６とに挟持されて、全体の長さのほとんどが用紙取出口４ｄの外にあり、用紙巻き取りローラ１１が停止している状態で、予め設定された一定時間の間に用紙１７が取り去られない場合には、図示せぬ制御回路は用紙巻き取りローラ１１を矢印Ｃの方向に回転させ、用紙１７を再度空間部１６にむけて排出する。この場合においても、図５のときと同様に、用紙１７の後端部１７ｂが第１用紙検出手段９に対向する位置に来ると、第１用紙検出手段９は、用紙１７が空間部１６に向けて排出し終わったことを図示せぬ制御回路に対して出力し、この出力を受けた図示せぬ制御回路は、用紙１７が完全に排出し終わるように設定された時間モータ１２を回転させた後モータ１２を停止させて、用紙巻き取りローラ１１の回転を停止させる。
【００２６】
このようにして、一旦用紙取出口４ｄから送り出した用紙１７を回収して、空間部１６に向けて排出する理由は、用紙取出口４ｄから送り出されている用紙１７を操作者が受け取りを忘れた場合に、この用紙１７を第３者に取られることによって、用紙１７に印字されている内容が重要な個人情報であった場合に、この重要な個人情報が第３者に漏れることを防ぐためである。また、印字された用紙１７が金券であった場合に、この金券を第３者に持ち去られることによる操作者の損害を防止するためである。
【００２７】
【発明の効果】
上述のように、本発明によれば、従来の用紙排出装置のように印字装置と用紙排出口との間において用紙にたるみ部分を設けることなく印字された用紙を回収することができるので、用紙の紙質や湿度の影響を受けにくく安定し紙詰まりなく、第３者に印字結果の情報が漏れたり、損害を被ることのない用紙排出装置を得ることができる。
【図面の簡単な説明】
【図１】本発明に係る一実施例の用紙排出装置を組み込んだ発券装置ユニットの主要断面の状態を示す主要断面図である。
【図２】図１における発券装置ユニットに組み込まれている用紙排出装置３の矢視Ａを拡大した状態を示す詳細断面図である。
【図３】用紙排出装置３が用紙１７を蓄えた後、用紙切断装置２が用紙１７を切断する動作を示す説明図である。
【図４】用紙排出装置３が用紙１７を用紙排出口４ｃから空間部１６のに向けて排出を開始した状態を示す説明図である。
【図５】用紙排出装置３が用紙１７を空間部１６に向けての排出を終了した状態を示す説明図である。
【図６】用紙排出装置３が用紙１７を用紙排出口４ｃから引き出して用紙取出口４ｄかへの送り出しを終了して待機している状態を示す説明図である。
【図７】用紙排出装置３が用紙１７の待機を終了して、用紙１７を用紙排出口４ｃから空間部１６に向けて排出した状態を示す説明図である。
【図８】従来例における用紙排出装置２０４が用紙２０５を貯めている状態を示す断面図である。
【図９】用紙排出装置２０４に用紙２０５が貯まった状態を示す断面図である。
【図１０】用紙排出装置２０４が用紙２０５を排出する状態を示す断面図である。
【符号の説明】
１  印字装置
２  用紙切断装置
２ａ  カッタ刃
３  用紙排出装置
４  ケース体
４ａ  壁面
４ｂ  用紙挿入口
４ｃ  用紙排出口
４ｄ  用紙取出口
５  第１圧接ローラ
６  第２圧接ローラ
７  第３圧接ローラ
８  用紙案内部材
９  第１用紙検出手段
１０  第２用紙検出手段
１１  用紙巻き取りローラ
１１ａ  用紙巻き取りローラ軸
１２  モータ
１２ａ  モータ歯車
１３ａ  第１大歯車
１３ｂ  第１小歯車
１４ａ  第２大歯車
１４ｂ  第２小歯車
１５  用紙巻き取りローラ歯車
１６  空間部
１７  用紙
１７ａ  前端部
１７ｂ  後端部
【図１】
0003830014.tif 000002
【図２】
0003830014.tif 000003
【図３】
0003830014.tif 000004
【図４】
0003830014.tif 000005
【図５】
0003830014.tif 000006
【図６】
0003830014.tif 000007
【図７】
0003830014.tif 000008
【図８】
0003830014.tif 000009
【図９】
0003830014.tif 000010
【図１０】
0003830014.tif 000011